(57)【要約】【課題】汚物に含まれる水分と臭いを速やかに吸収し、かつ汚物および汚物の臭いが外部に漏れることを防ぐことができる脱臭吸水シートを提供すること。【解決手段】吸水性シートの片面に防水性シートを積層してなり、かつ該吸水性シートおよび／または防水性シートが脱臭剤を含有することを特徴とする医療用脱臭吸水シート。【選択図】    図１
2004148047.tif 000002
【特許請求の範囲】
【請求項１】
吸水性シートの片面に防水性シートを積層してなり、かつ該吸水性シートおよび／または防水性シートが脱臭剤を含有することを特徴とする医療用脱臭吸水シート。
【請求項２】
防水性シートのみが脱臭剤を含有している請求項１記載の医療用脱臭吸水シート。
【請求項３】
脱臭剤が活性炭である請求項１または２記載の医療用脱臭吸水シート。
【請求項４】
人工肛門、人工膀胱、人工肛門に装着する袋（パウチ）または人工膀胱に装着する袋（パウチ）のカバー用である請求項１〜３のいずれか一項に記載の医療用脱臭吸水シート。
【発明の詳細な説明】
【０００１】
【発明の属する技術分野】
本発明は、吸水性シートの片面に防水性シートを積層してなり、かつこれらのシートの少なくとも一方のシートに脱臭剤を含有させた医療用脱臭吸水シートに関するものである。本発明の医療用脱臭吸水シートは、汚物に含まれる水分と臭いを速やかに吸収し、かつ汚物および汚物の臭いが外部に漏れることを防ぐことができるので、例えば、人工肛門、人工膀胱、人工肛門に装着する袋（パウチ）または人工膀胱に装着する袋（パウチ）のカバーとして特に有用である。
【０００２】
【従来の技術】
人工肛門や人工膀胱を装着した患者（以下「オストメイト」と略称する場合がある）は、健常人と同様の日常生活をおくることができる人も少なくないが、日常生活において汚物や汚物の臭いが外部に漏洩することは好ましくなく、オストメイトにとっては周囲に対して常に気を配る必要があって、できれば完全にこのような汚物や汚物の臭いの外部への漏洩を抑えたいという要望が強い。さらに、オストメイトは健常人と比較すると、汚物の臭いに対して非常に敏感であり、汚物の臭いは他人が気にする以上に自分自身が気になるものである。このような理由から、オストメイトは外出自体を控えたり、人の多い場所を避けてしまうなどの傾向があって問題となっている。このため、人工肛門や人工膀胱に装着し、汚物を収容する袋（パウチ）に液体の消臭剤を入れたり、活性炭入りパッドをこれらのパウチの上にあてる等の試みが行われている。例えば、特許文献１には、活性炭繊維を主成分とする成形体からなる医療用脱臭被覆材が記載されており、このような被覆材で人工肛門等のパウチをカバーした場合には、人工肛門等から漏れる汚物の臭いを除去することが可能である。
【０００３】
【特許文献１】
特開平１１−５６９９６号公報
【０００４】
【発明が解決しようとする課題】
しかしながら、特許文献１に記載されている医療用脱臭被覆材は、吸水性シートと防水性シートを積層した積層シート構造をしていないため、該被覆材を構成する素材の種類によっては、万が一、人工肛門等からパウチが外れたり、パウチが破損することにより、もれた液体状の汚物に含まれる水分を速やかに吸収することができず、液体状の汚物が外部に漏れ、服を汚すこととなる。また、たとえ該被覆材が汚物に含まれる水分を吸収することができ、人工肛門等のパウチからもれた汚物を外部に漏らさなかったとしても、該被覆材は防水性の層を有していないので、該被覆材に吸収された水分が、徐々に体とは反対側の面に染みだし、服を汚すこととなる。
本発明の目的は、汚物に含まれる水分と臭いを速やかに吸収し、かつ汚物および汚物の臭いが外部に漏れることを防ぐことができる医療用脱臭吸水シート、特には、オストメイトが、人工肛門、人工膀胱あるいはこれらに装着するパウチから、万が一汚物の漏洩が発生しても、汚物に含まれる水分や臭いを速やかに吸収し、外部に漏洩することを防止できるような、人工肛門、人工膀胱、人工肛門に装着するパウチまたは人工膀胱に装着するパウチのカバー用として好適に使用される医療用脱臭吸水シートを提供することである。
【０００５】
【発明を解決するための手段】
本発明者らは、上記の課題を解決するために鋭意検討した結果、吸水性シートの片面に防水性シートを積層し、かつこれらのシートの少なくとも一方に脱臭剤を含有させることにより、汚物に含まれる水分と臭いを速やかに吸収し、かつ汚物が外部に漏れることを防ぐことができることを見い出し、本発明を完成するに至った。
【０００６】
すなわち、本発明は、
［１］  吸水性シートの片面に防水性シートを積層してなり、かつ該吸水性シートおよび／または防水性シートが脱臭剤を含有することを特徴とする医療用脱臭吸水シート；
［２］  防水性シートのみが脱臭剤を含有している上記［１］記載の医療用脱臭吸水シート；
［３］  脱臭剤が活性炭である上記［１］または［２］記載の医療用脱臭吸水シート；
［４］  人工肛門、人工膀胱、人工肛門に装着する袋（パウチ）または人工膀胱に装着する袋（パウチ）のカバー用である上記［１］〜［３］のいずれか一項に記載の医療用脱臭吸水シート；
に関する。
【０００７】
【発明の実施の形態】
以下、本発明について詳細に説明する。
本発明では、人体（人工肛門、人工膀胱やパウチ等）に接する側に用いることを想定している吸水性シートと、人体とは反対側（外側）に用いることを想定している防水性シートの二種類のシートが用いられる。
【０００８】
吸水性シートとしては、汚物中の水分を吸収することができるものであれば、従来から使用されている公知の吸水性シートを用いることができるが、吸水率が３００〜８０００重量％であるものが好ましく、５００〜８０００重量％以上であるものがより好ましい。なお、本明細書でいう「吸水率」とは、所定の大きさのシートを２０℃の水に浸漬して吸水させた後に測定した重量とそのシートの元の重量（吸水させる前の重量）との差を、シートの元の重量で除した値のことである。吸水性シートとしては、例えばポリアクリル酸などに代表される樹脂成分からなる樹脂系フィルムシート、紙、編物、織物、不織布等の繊維質シート、及び樹脂系フィルムシートと繊維質シートで構成される複合シート等が挙げられる。これらの中でも大量の水分を速やかに吸収、拡散することができる点から、不織布の繊維質シートがより好適に用いられる。不織布の繊維質シートを構成する繊維素材としては、例えば、綿、羊毛、麻、パルプに代表される天然繊維、レーヨンなどの半合成繊維、ポリビニルアルコール、ポリアクリル酸などに代表される合成繊維などを挙げることができるが、産業上、大量生産しやすく、入手しやすいことを考慮すると、ポリビニルアルコール、ポリアクリル酸などに代表される合成繊維が好適に用いられ、これらは単独で使用しても併用してもよい。
【０００９】
また、本発明において、吸水性シートとして好ましく用いられる不織布としては、スパンボンド法、スパンレース法、ニードルパンチ法、樹脂接着法、フラッシュ紡糸法、メルトブロー法、エアレイ法などいずれの製法で作成された不織布であってもよい。ただし、該不織布が大量に漏洩した汚物の水分を速やかに吸収するためには、不織布の目付けを３０〜１５０ｇ／ｍ２に設定することが好ましい。不織布の目付けが３０ｇ／ｍ２より少ないと漏洩した汚物の水分を吸収しきれず、汚物の漏洩防止の面から問題となる場合がある。また、不織布の目付けが１５０ｇ／ｍ２より多いとシートの厚みが大きくなるため、装着感、使用感が劣る場合がある。
【００１０】
本発明においては、漏洩した汚物をより大量に吸収できるように、吸水性シートに更に吸水性高分子を含有させてもよい。このような吸水性素材高分子としては、現在、紙おむつ等に広く普及している吸水性高分子を使用することができ、例えば、ポリアクリル酸ナトリウム、ポリビニルアルコール、カルボキシメチルセルロース、ヒドロキシエチルセルロース、ポリビニルピロリドン、ポリビニルメチルエーテル等を挙げることができる。吸水性高分子の含有量は、吸水性シート１００重量部に対して５〜１００重量部であるのが好ましい。吸水性高分子の含有量が５重量部より少ない場合には、吸水性の増強効果が発現しない場合がある。また、吸水性高分子の重量が１００重量部より多いと、漏洩した汚物を含んだゲル状物質をシートが支えきれなくなって、シートが破壊される場合がある。
【００１１】
本発明に用いる吸水性シートの厚みは、１ｍｍ〜２０ｍｍであるのが好ましく、１ｍｍ〜１０ｍｍであるのがより好ましい。
【００１２】
本発明においては、漏洩した汚物から吸水性シートに一旦吸水された水分が、該吸水性シートの吸水面とは反対側の面から外側に漏れることがないように、吸水性シートの片面に水分を通さない防水性シートを積層することが重要である。このような防水性シートとしては、ポリエチレン、ポリプロピレン等のポリオレフィン、ポリエチレンテレフタレート、ポリブチレンテレフタレート等のポリエステル、ナイロン６、ナイロン６６等のポリアミド又はこれらの共重合体、ポリ塩化ビニル、ポリ塩化ビニリデン、ポリウレタン等からなるシートが挙げられる。防水性シートとしては、これらのシートを単独で使用してもよいし、これらのシートに他の不織布素材を接着し、積層体状のシートとしたものを用いてもよい。積層体状のシートとする場合、上記の防水性シートを不織布の表面に配置してもよいし、不織布に挟んだ構造にしてもよい。不織布の表面に防水性シートを配置する場合には、不織布の片面でもよいし、両面に配置してもよい。
【００１３】
本発明においては、防水性シートの防水性をより向上させるために、更に撥水処理を行うことが好ましい。これは、通常の繊維用の撥水剤を用いて実施できる。該繊維用の撥水剤としては公知の技術のいずれもが使用でき、特に限定されるものではないが、シリコーン系撥水剤やフッ素系撥水剤等が好ましく、撥水能力を考慮するとフッ素系撥水剤がより好ましい。
【００１４】
本発明に用いる防水性シートの厚みは、０．５〜１０ｍｍであるのが好ましく、０．５〜５ｍｍであるのがより好ましい。
【００１５】
本発明の医療用脱臭吸水シートは、吸水性シートの片面に防水性シートを積層することにより得られるが、吸水性シートの片面に防水性シートを積層する方法としては、これらのシートを重ねてニードルパンチ法で一体化してもよいし、糸で縫い合わせてもよいし、接着剤で貼り合せてもよいし、治具で止めたりしてもよい。
【００１６】
本発明の医療用脱臭吸水シートは、汚物の臭いが外部に漏れないようにするため、脱臭剤を含有している必要がある。脱臭剤としては、従来から使用されている脱臭剤であればいずれも使用することができ、例えば、活性炭、ゼオライト、その他の臭いを吸着する素材や分解する素材を挙げることができる。本発明においては、このような脱臭剤の中でも汚物由来の臭いの脱臭性能が特に優れることがら、活性炭を使用することが好ましく、粉末状の活性炭を使用することがより好ましい。これらの脱臭剤は吸水性シートのみに含有させてもよいし、防水性シートのみに含有させてもよいし、あるいは両シートに含有させてもよい。本発明においては、防水性シートに含有させる方が、脱臭効果が高く好ましい。脱臭剤の含有量としては、脱臭剤を含有させるシートにおいて、１０〜１５０ｇ／ｍ２であるのが好ましい。脱臭剤の含有量が１０ｇ／ｍ２より少ないと脱臭能力が不足する場合がある。一方、脱臭剤の含有量が１５０ｇ／ｍ２よりも大きいと、シート自体が活性炭の重量を支えきれずに破れてしまったり、シートを積層する際の縫製等の加工性が損なわれる場合がある。また、本発明の効果を妨げない限り、脱臭剤以外にも公知の芳香剤などを併用してもよい。
【００１７】
脱臭剤として好ましく用いることができる上記の粉末活性炭としては、例えば、ヤシガラ、タール、樹脂等を原料として焼成して得られる通常使用される多孔質体粉末を挙げることができ、その粒径が２０〜１００メッシュであるものが好ましく、３０〜７０メッシュであるものがより好ましい。粉末活性炭の粒径が１００メッシュより大きくなると、得られるシートの脱臭機能が不足する場合がある。また粉末活性炭の粒径が２０メッシュより小さくなると、活性炭が空中に舞いやすくなり、取り扱い性が劣る傾向がある。
【００１８】
上記脱臭剤をシートに含有させる方法としては、シートから脱離しない程度にシートに保持されていれば良く、例えばエマルジョン系の接着剤、溶剤系接着剤、ホットメルト系接着剤など通常使用される接着剤を用いて接着したり、コーティングなどの手段によって貼りつける方法等を挙げることができる。その他、脱臭剤にバインダー物質を加えてシート状に成形したものを、吸水性シートおよび／または防水性シートに積層する方法も挙げることができる。
【００１９】
本発明において、上記脱臭剤は、吸水性シートのみ、防水性シートのみ、もしくは吸水性シートと防水性シートの両方に含有させても良いが、粉末活性炭を使用する場合には、該活性炭が吸水してしまうと、脱臭効果が薄れてしまうことから、防水性シートに含有させるのが好ましい。
【００２０】
本発明の医療用脱臭吸水シート全体の厚みは１．５〜３０ｍｍであるのが好ましく、１．５〜１５ｍｍであるのがより好ましい。シート全体の厚みが１．５ｍｍ未満では、汚物の漏洩防止能力が不足する場合がある。一方、シート全体の厚みが３０ｍｍを超える場合は厚みが厚すぎて、装着しづらい、外観から目立ってしまう、重すぎる、スペースを多くとってしまうというような問題点が生じ、使用者の負担になる場合がある。
【００２１】
本発明の医療用脱臭吸水シートは、吸水性シートの面が人体（人工肛門、人工膀胱やパウチ等）に接する側になるように用いる。人工肛門または人工膀胱を直接カバーするように用いてもよいし、人工肛門または人工膀胱に装着されているパウチをカバーするように用いることもできる。この際、テープ等を用いて、本発明の医療用脱臭吸水シートを人体に固定してもよいし、腹巻きなどを使用して固定してもよいし、もしくは面上ファスナーやファスナー、フック、ハトメ金具、ボタン等を用いて着脱自在に取り付けて用いてもよい。
【００２２】
【実施例】
以下の実施例及び比較例により本発明をより詳細に説明するが、本発明は以下の実施例によって何ら限定されるものではない。なお実施例、比較例における各種シートの性能評価は以下に示す方法で行った。
【００２３】
〔脱臭性評価〕
実施例または比較例で得られた各種シートの脱臭性を評価するために官能試験を実施した。官能試験の方法は、次のとおりである。
（１）まず、市販されている人工肛門パウチ（（株）ホリスター製）の内部に排便を約１００ｃｃ収容する。
（２）次に、人工肛門パウチと皮膚保護剤をダミー人形の人工肛門に組み合わせ、パウチを装着する。
（３）（２）でパウチを装着した後、実施例または比較例で得られたシートでパウチを覆い、該シートをテープでダミー人形に固定する。
（４）皮膚保護剤をすばやく剥がし、パウチが人工肛門から脱離した状態にしたのち１分後に一般男女１０人（パネラーとする）による１〜５の５段階臭気強度表示法の官能試験を行う。なお、パネラーの鼻とパウチを覆っているシートまでの距離を約２０ｃｍとして評価を行った。
臭気強度はその値が小さいほど無臭に近く、反対に大きいほど強い臭気であることを表し、臭気強度１は臭気無し、臭気強度２はやや臭気有り、臭気強度３は臭気有り、臭気強度４でやや強い臭気あり、臭気強度５は非常に強い臭気ありを意味する。
【００２４】
〔吸水浸透性評価〕
吸水性については、ＪＩＳＬ１０１８パイレック法に従って、１分後の吸水浸透性試験を行った。なお、実施例１および比較例１の積層シートにおいては、積層シートの吸水性シート側に水を滴下して評価を行った。
【００２５】
〔防水性評価〕
防水性については、２００ｍＬの水をシートに滴下した後、滴下した面とは反対側の面から水が漏れたか漏れていないかを、目視および手触りにより評価した。なお、実施例１および比較例１の積層シートにおいては、積層シートの吸水性シート側に水を滴下した後、滴下した面とは反対側の防水性シートの面で評価を行った。
【００２６】
［実施例１］
（１）アクリル酸塩系繊維をニードルパンチ法により、目付６０ｇ／ｍ２、見かけの厚みが３ｍｍの不織布シートに加工することにより吸水性シートを得た。得られた吸水性シートの吸水率は１０００％であった。
（２）次に、ポリエステルを溶融、紡糸して、紡糸口金からエアーサッカーで牽引して、均一な長繊維ウェブを作成し、これを均一に配置された凸部を有するエンボスロールと表面が平滑な下部ロールとの間で熱圧着し、繊度２ｄｒで、目付３０ｇ／ｍ２のポリエステル長繊維不織布を得た。このポリエステル長繊維不織布の上に、熱ロール接合型のラミネート装置を用い、脱臭剤である粒度３２〜６０メッシュに分粒されたヤシガラ活性炭粉末（太平化学（株）製）及びポリエチレン系ホットメルト剤粉末を１：１の割合で混合した粉体を４０ｇ／ｍ２になるように塗布した。さらに、先に作成した目付３０ｇ／ｍ２のポリエステル長繊維不織布をこの上に重ね、１５０℃に熱せられた熱プレスロールにて接合を行うことにより、ポリエステル長繊維不織布の中間層に脱臭剤を含む厚さ１ｍｍの防水性シートを得た。
（２）以上のようにして得られた吸水性シートの片面に防水性シートをミシンで縫製することにより積層、一体化し、タテが２０ｃｍ、ヨコが２０ｃｍ、シートの全体の厚みが４ｍｍの脱臭吸水シートを得た。評価結果を表１に示す。
【００２７】
［比較例１］
脱臭剤を含有しない防水性シートを用いたこと以外は、実施例１と同様の方法で、同じシートサイズ、同じシート厚みの積層シートを作成した。評価結果を表１に示す。
【００２８】
［比較例２］
厚みが２ｍｍである綿１００％不織布の上に、熱ロール接合型のラミネート装置を用い、実施例１で使用したものと同じヤシガラ活性炭粉末及びポリエチレン系ホットメルト剤粉末を実施例１と同様の方法で塗布した。さらに、厚みが２ｍｍである綿１００％の不織布をこの上に重ね、実施例１と同様の方法で接合を行うことにより、綿１００％の不織布の中間層に脱臭剤を含み、実施例１と同じシートサイズ、同じシート厚みの単層シートを作成した。評価結果を表１に示す。
【００２９】
【表１】
2004148047.tif 000003
【００３０】
実施例１から明らかなように本発明の医療用脱臭吸水シートは、汚物の水分を速やかに吸収し、かつ汚物および汚物の臭いが外部に漏れることを防ぐことができる。一方、比較例１のシートでは汚物の臭いが外部に漏れることを防ぐことができず、比較例２のシートでは防水性能が充分でなく、汚物が外部に漏れることを防ぐことができない。
【００３１】
【発明の効果】
本発明の医療用脱臭吸水シートは、汚物に含まれる水分と臭いを速やかに吸収し、かつ汚物および汚物の臭いが外部に漏れることを防ぐことができるので、例えば、人工肛門、人工膀胱、人工肛門に装着する袋（パウチ）または人工膀胱に装着する袋（パウチ）のカバーとして特に有用である。本発明の医療用脱臭吸水シートを使用すれば、排泄物の漏洩を懸念するあまり外出を控えていたオストメイトが安心して外出できるようになり、オストメイトの生活の質を向上させることに寄与する。
【図面の簡単な説明】
【図１】図１は、本発明に係わる医療用脱臭吸水シートの断面を示す説明図である。
【符号の説明】
１  吸水性シート
２  防水性シート
３  脱臭剤
【図１】
2004148047.tif 000004